(57)【特許請求の範囲】
【請求項１】
前掛けと、
前記前掛けに着脱自在な食器の敷物とを備え、
前記敷物に、前記前掛けと前記敷物との着脱部分を覆うためのカバーが取り付けられる、エプロン。
【請求項２】
前記前掛けと前記敷物とは、前記敷物の表面と前記前掛けの裏面とが対向した状態で、連結可能であって、
前記カバーは前記敷物の表面に取り付けられる、請求項１に記載のエプロン。
【発明の詳細な説明】
【技術分野】
【０００１】
本発明は、エプロンに関し、特に、飲食中にこぼした飲食物が衣類に付着することを防ぐためのエプロンに関する。
【背景技術】
【０００２】
従来から、飲食中にこぼした飲食物が衣類に付着することを防ぐためのエプロンが知られている。
【０００３】
たとえば、特開２００６−１３８０５７号公報（特許文献１）には、ランチマット付きエプロンが開示されている。特開２００６−１３８０５７号公報（特許文献１）によると、エプロンの下部を長くとり、そこをランチマットとし、裏側四隅に吸盤２を取り付けることによってテーブルからのズレやよれを防ぎ、腹部とテーブルの隙間からの食べこぼしによる衣服、椅子、床などの汚れを防げるようにする。
【０００４】
実開平７−２４２０号公報（特許文献２）には、ランチョンマット付き食事用エプロンが開示されている。実開平７−２４２０号公報（特許文献２）によると、ランチョンマットと食事用エプロンを一体とし、それらの移行部にポケット部を設け、またランチョンマット部の裏面の周囲に粘着部を設ける。
【０００５】
実開平２−１２５９１３号公報（特許文献３）には、ランチョンマット付きエプロンが開示されている。実開平２−１２５９１３号公報（特許文献３）によると、幼児用エプロンとランチョンマットが一枚になり、その間がポケットになったエプロンが提案されている。
【先行技術文献】
【特許文献】
【０００６】
【特許文献１】特開２００６−１３８０５７号公報
【特許文献２】実開平７−２４２０号公報
【特許文献３】実開平２−１２５９１３号公報
【発明の概要】
【発明が解決しようとする課題】
【０００７】
ランチョンマット付きエプロンは、飲食中にこぼした飲食物が食卓の上面に付着することを防ぐことができるが、エプロンの使用者が食卓の椅子に座った後にしかランチョンマットの上に食器を並べることができない。
【０００８】
本発明は、かかる問題を解決するためになされたものであり、その目的は、より使い勝手のよいエプロンを提供することである。より詳細には、飲食中にこぼした飲食物が食卓の上面および衣類に付着することを防ぎながら、エプロンの使用者が食卓の椅子に座る前に食卓上に食器を並べることができる、エプロンを提供する。
【課題を解決するための手段】
【０００９】
この発明のある局面に従うと、前掛けと、前掛けの下部に着脱自在な食器の敷物とを備える、エプロンが提供される。
【００１０】
好ましくは、前掛けの下端部と敷物の上端部とが連結可能である。
【００１１】
好ましくは、敷物に、前掛けと敷物との連結部分を覆うためのカバーが取り付けられる。
【００１２】
好ましくは、前掛けと敷物とは、敷物の表面と前掛けの裏面とが対向した状態で、連結可能である。カバーは敷物の表面に取り付けられる。
【００１３】
好ましくは、前掛けに、前掛けと敷物との連結部分を覆うためのカバーが取り付けられる。
【００１４】
好ましくは、前掛けと敷物とは、前掛けの表面と敷物の裏面とが対向した状態で、連結可能である。カバーは前掛けの表面に取り付けられる。
【発明の効果】
【００１５】
以上のように、この発明によれば、飲食中にこぼした飲食物が食卓の上面および衣類に付着することを防ぎながら、エプロンの使用者が食卓の椅子に座る前に食卓上に食器を並べることができる、エプロンを提供することができる。
【図面の簡単な説明】
【００１６】
【図１】本実施の形態に係るエプロン１０１の使用態様を示す第１のイメージ図である。
【図２】本実施の形態に係るエプロン１０１の使用態様を示す第２のイメージ図である。
【図３】本実施の形態に係るエプロン１０１の使用態様を示す第３のイメージ図である。
【図４】本実施の形態に係るカバーを有していないエプロン１０１の全体構成を示す正面図である。
【図５】本実施の形態に係るカバー１２１Ｘを有するエプロン１０１の全体構成を示す正面図である。
【図６】エプロン１０２の第１の変形例の全体構成を示す正面図である。
【図７】エプロン１０３の第２の変形例の全体構成を示す正面図である。
【図８】エプロン１０４の第３の変形例の全体構成を示す正面図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜使用態様＞
【００１８】
まず、本実施の形態に係るエプロンの使用態様について説明する。図１は、本実施の形態に係るエプロン１０１の使用態様を示す第１のイメージ図である。より詳細には、使用者が未だ食卓１３０についていない（椅子１４０に座っていない）状態を示す正面図である。図２は、本実施の形態に係るエプロン１０１の使用態様を示す第２のイメージ図である。より詳細には、使用者が食卓１３０についた（椅子１４０に座った）状態を示す正面図と側面図である。図３は、本実施の形態に係るエプロン１０１の使用態様を示す第３のイメージ図である。より詳細には、エプロン本体（前掛けともいう。）とランチョンマット（敷物ともいう。）とが連結された状態を示す正面図と側面図である。
【００１９】
図１を参照して、本実施の形態に係るエプロン１０１は、エプロン本体１１１（後述するエプロン本体１１２，１１３，１１４）と、ランチョンマット１２１（後述するランチョンマット１２２，１２３，１２４）とを含む。後述するように、エプロン本体１１１とランチョンマット１２１とは、着脱自在に構成されている。
【００２０】
使用者がエプロン本体１１１を装着する。たとえば、使用者はエプロン本体１１１を首にかける。使用者は、食卓１３０から離れた位置にいてもよい。このとき、食卓１３０上にランチョンマット１２１が敷かれる。ランチョンマット１２１の上には食器が並べられる。なお、食器が載置されたトレーが、ランチョンマット１２１上に載置されてもよい。
【００２１】
図２を参照して、使用者が食卓１３０に到着し、椅子１４０に座る。このとき、使用者にかけられているエプロン本体１１１と、食卓１３０上のランチョンマット１２１とは、連結されていない。
【００２２】
図３を参照して、使用者または看護師などの補助者が、使用者にかけられているエプロン本体１１１に食卓１３０上のランチョンマット１２１を連結する。エプロン本体１１１とランチョンマット１２１との連結方法は後述する。
【００２３】
この状態で、使用者は、ランチョンマット１２１上の食べ物を食べたり飲み物を飲んだりする。その結果、飲食中に飲食物がこぼれても、こぼれた飲食物がエプロン１０１（エプロン本体１１１またはランチョンマット１２１）に付着することになり、食卓１３０や衣類が汚れる可能性を低減することができる。
＜全体構成＞
【００２４】
次に、本実施の形態に係るエプロン１０１の全体構成について説明する。図４は、本実施の形態に係るカバーを有していないエプロン１０１の全体構成を示す正面図である。図５は、本実施の形態に係るカバー１２１Ｘを有するエプロン１０１の全体構成を示す正面図である。
【００２５】
図４を参照して、本実施の形態に係るエプロン１０１においては、使用者または補助者が、スナップボタンを用いて、エプロン本体１１１の下端部とランチョンマット１２１の上端部とを連結したり、取り外したりする。具体的には、エプロン本体１１１の裏面（または表面）の下端部の右部と中央部と左部とに、雄スナップ１１１Ａ，１１１Ｂ，１１１Ｃが取り付けられる。そして、ランチョンマット１２１の表面（または裏面）の上端部の右部と中央部と左部とに雌スナップ１２１Ａ，１２１Ｂ，１２１Ｃが取り付けられる。
【００２６】
ただし、エプロン本体１１１の裏面（または表面）の下端部に複数の雌スナップが取り付けられ、ランチョンマット１２１の表面（または裏面）の上端部に複数の雌スナップが取り付けられてもよい。
【００２７】
エプロン本体１１１の上部には、エプロン本体１１１を使用者の首にかけるための紐１１５が取り付けられている。紐１１５は、一方の端部がエプロン本体１１１の上端に縫い付けられる。ただし、紐１１５は、一方の端部が、面ファスナーやボタンなどを介して、エプロン本体１１１の上端に着脱自在であってもよい。
【００２８】
紐１１５の他方の端部は、エプロン本体１１１の上部に形成された孔１１１Ｘ，１１１Ｙに通される。より詳細には、紐１１５の他方の端部は、孔１１１Ｙをエプロン本体１１１の表側から裏側へと通され、孔１１１Ｘをエプロン本体１１１の裏側から表側へと通される。紐１１５の孔１１１Ｘよりも表側には、使用者の首にかかる部分の長さを調節するための調節部材１１６が取り付けられている。
【００２９】
ただし、エプロン本体１１１には、孔１１１Ｙのみが形成されてもよい。すなわち、単に、紐１１５の他方の端部がエプロン本体１１１の上部に形成された孔１１１Ｙをエプロン本体１１１の裏側から表側へと通されるだけでもよい。この場合にも、紐１１５の孔１１１Ｙよりも表側に、使用者の首にかかる部分の長さを調節するための調節部材１１６が取り付けられることが好ましい。
【００３０】
このように、構成されているため、本実施の形態に係るエプロン１０１においては、飲食中にこぼした飲食物が食卓１３０の上面および衣類に付着することを防ぎながら、エプロン１０１の使用者が食卓１３０の椅子１４０に座る前に食卓１３０上に食器を並べることができる。
【００３１】
上述したように、本実施の形態においては、エプロン本体１１１の裏面の下端部と、ランチョンマット１２１の表面の上端部とが連結される。すなわち、エプロン本体１１１とランチョンマット１２１とは、エプロン本体１１１の裏面の下端部とランチョンマット１２１の表面の下端部とが対向した状態で、連結される。そして、好ましくは、図５に示すように、ランチョンマット１２１の表面に、スナップボタン部分を隠すように、カバー１２１Ｘが取り付けられる。この場合、使用者または補助者は、エプロン本体１１１とランチョンマット１２１とを連結した際に、カバー１２１Ｘによって連結部分を覆う（図３を参照。）。これによって、エプロン本体１１１とランチョンマット１２１との間から、飲食物がこぼれ難くなる。
【００３２】
逆に、上述したように、エプロン本体１１１の表面の下端部と、ランチョンマット１２１の裏面の上端部とが連結される場合には、すなわち、エプロン本体１１１とランチョンマット１２１とがエプロン本体１１１の表面の下端部とランチョンマット１２１の裏面の下端部とが対向した状態で連結される場合には、エプロン本体１１１の表面に、スナップボタン部分を隠すようにカバーが取り付けられることが好ましい。使用者または補助者は、エプロン本体１１１とランチョンマット１２１とを連結した際に、カバーによって連結部分を覆う。これによって、エプロン本体１１１とランチョンマット１２１との間から、飲食物がこぼれ難くなる。
＜第１の変形例＞
【００３３】
上記の実施の形態においては、エプロン本体１１１とランチョンマット１２１とがスナップボタンを用いて連結されるものであった。しかしながら、エプロン本体とランチョンマットとの連結方法はスナップボタンに限らない。
【００３４】
以下では、エプロン本体１１２とランチョンマット１２２とが通常のボタンを用いて連結されるエプロン１０２について説明する。図６は、エプロン１０２の第１の変形例の全体構成を示す正面図である。
【００３５】
図６を参照して、本変形例に係るエプロン１０２においては、使用者または補助者が、通常のボタンを用いて、エプロン本体１１２の下端部とランチョンマット１２２の上端部とを連結したり、取り外したりする。具体的には、エプロン本体１１２の下端部の右部と中央部と左部とに、ボタン孔１１２Ａ，１１２Ｂ，１１２Ｃが形成される。そして、ランチョンマット１２２の上端部の右部と中央部と左部とにボタン１２２Ａ，１２２Ｂ，１２２Ｃが取り付けられる。
【００３６】
ただし、エプロン本体１１２の下端部にボタンが取り付けられ、ランチョンマット１２２の上端部にボタン孔が形成されてもよい。すなわち、エプロン本体１１２の表面の下端部と、ランチョンマット１２２の裏面の上端部とを連結するものであってもよい。
【００３７】
本変形例においても、図５と同様に、ランチョンマット１２２の表面に、ボタン部分を隠すように、カバーが取り付けられることが好ましい。使用者または補助者は、エプロン本体１１２とランチョンマット１２２とを連結した際に、カバーによって連結部分を覆う（図３を参照。）。これによって、エプロン本体１１２とランチョンマット１２２との間から、飲食物がこぼれ難くなる。
【００３８】
逆に、上述したように、エプロン本体１１２の表面の下端部と、ランチョンマット１２２の裏面の上端部とが連結される場合には、エプロン本体１１２の表面に、ボタン部分を隠すようにカバーが取り付けられることが好ましい。使用者または補助者は、エプロン本体１１２とランチョンマット１２２とを連結した際に、カバーによって連結部分を覆う。これによって、エプロン本体１１２とランチョンマット１２２との間から、飲食物がこぼれ難くなる。
【００３９】
なお、エプロン１０２の使用態様やその他の構成は、上記の実施の形態１のそれらと同様であるため、ここでは説明を繰り返さない。
＜第２の変形例＞
【００４０】
上記の実施の形態においては、エプロン本体１１１とランチョンマット１２１とがスナップボタンを用いて連結されるものであった。しかしながら、エプロン本体とランチョンマットとの連結方法はスナップボタンに限らない。
【００４１】
以下では、エプロン本体１１３とランチョンマット１２３とが面ファスナーを用いて連結されるエプロン１０３について説明する。図７は、エプロン１０３の第２の変形例の全体構成を示す正面図である。
【００４２】
図７を参照して、本変形例に係るエプロン１０３においては、使用者または補助者が、面ファスナーを用いて、エプロン本体１１３の下端部とランチョンマット１２３の上端部とを連結したり、取り外したりする。具体的には、エプロン本体１１３の裏面（または表面）の下端部に、雄型の面ファスナー１１３Ａが取り付けられる。そして、ランチョンマット１２３の表面（または裏面）の上端部に、雌型の面ファスナー１２３Ａが取り付けられる。
【００４３】
ただし、エプロン本体１１３の裏面（または表面）の下端部に雌型の面ファスナーが取り付けられ、ランチョンマット１２３の表面（または裏面）の上端部に雄型の面ファスナーが形成されてもよい。
【００４４】
本変形例においても、図５と同様に、ランチョンマット１２３の表面に、面ファスナー部分を隠すようにカバーが取り付けられることが好ましい。使用者または補助者は、エプロン本体１１３とランチョンマット１２３とを連結した際に、カバーによって連結部分を覆う（図３を参照。）。これによって、エプロン本体１１３とランチョンマット１２３との間から、飲食物がこぼれ難くなる。
【００４５】
逆に、上述したように、エプロン本体１１３の表面の下端部と、ランチョンマット１２３の裏面の上端部とが連結される場合には、エプロン本体１１３の表面に、面ファスナー部分を隠すようにカバーが取り付けられることが好ましい。使用者または補助者は、エプロン本体１１３とランチョンマット１２３とを連結した際に、カバーによって連結部分を覆う。これによって、エプロン本体１１３とランチョンマット１２３との間から、飲食物がこぼれ難くなる。
【００４６】
なお、エプロン１０３の使用態様やその他の構成は、上記の実施の形態１のそれらと同様であるため、ここでは説明を繰り返さない。
＜第３の変形例＞
【００４７】
上記の実施の形態においては、エプロン本体１１１とランチョンマット１２１とがスナップボタンを用いて連結されるものであった。しかしながら、エプロン本体とランチョンマットとの連結方法はスナップボタンに限らない。
【００４８】
以下では、エプロン本体１１４とランチョンマット１２４とがファスナーを用いて連結されるエプロン１０４について説明する。図８は、エプロン１０４の第３の変形例の全体構成を示す正面図である。
【００４９】
図８を参照して、本変形例に係るエプロン１０４においては、使用者または補助者が、ファスナー１１４Ａ，１２４Ａを用いて、エプロン本体１１４の下端部とランチョンマット１２４の上端部とを連結したり、取り外したりする。
【００５０】
本変形例においても、図５と同様に、ランチョンマット１２４の表面に、ファスナー部分を隠すようにカバーが取り付けられることが好ましい。使用者または補助者は、エプロン本体１１４とランチョンマット１２４とを連結した際に、カバーによって連結部分を覆う（図３を参照。）。これによって、エプロン本体１１４とランチョンマット１２４との間から、飲食物がこぼれ難くなる。
【００５１】
ただし、エプロン本体１１４の表面に、ファスナー部分を隠すようにカバーが取り付けられてもよい。使用者または補助者は、エプロン本体１１４とランチョンマット１２４とを連結した際に、カバーによって連結部分を覆う。これによって、エプロン本体１１４とランチョンマット１２４との間から、飲食物がこぼれ難くなる。
【００５２】
なお、エプロン１０４の使用態様やその他の構成は、上記の実施の形態１のそれらと同様であるため、ここでは説明を繰り返さない。
【００５３】
上記の実施の形態および第１から第３の変形例においては、エプロン本体１１１（１１２，１１３，１１４）の裏面の下端部に、ランチョンマット１２１（１２２，１２３，１２４）の表面の上端部を取り付ける場合、両者を取り付け易いというメリットがある。たとえば、ランチョンマット１２１（１２２，１２３，１２４）の上端部が食卓１３０の上に位置する状態で両者を連結する場合などに、ランチョンマット１２１（１２２，１２３，１２４）の上端部を持ちあげる必要がない。逆に、エプロン本体１１１（１１２，１１３，１１４）の表面の下端部に、ランチョンマット１２１（１２２，１２３，１２４）の裏面の上端部を取り付ける場合、飲食物が両者の間からこぼれ落ちる可能性が低くなるというメリットがある。
【００５４】
なお、エプロン本体１１１（１１２，１１３，１１４）の下端部に、ランチョンマット１２１（１２２，１２３，１２４）の上端部を連結する構成は、上記の構成に限らない。たとえば、エプロン本体１１１（１１２，１１３，１１４）の下端部と、ランチョンマット１２１（１２２，１２３，１２４）の上端部とを、マグネットやその他の連結部材によって連結してもよい。
【００５５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５６】
１０１，１０２，１０３，１０４  エプロン
１１１，１１２，１１３，１１４  エプロン本体
１１１Ａ，１１１Ｂ，１１１Ｃ  雄スナップ
１１１Ｘ，１１２Ｘ，１１３Ｘ，１１４Ｘ  孔
１１２Ａ，１１２Ｂ，１１２Ｃ  ボタン孔
１１３Ａ  雄型の面ファスナー
１１４Ａ，１２４Ａ  ファスナー
１１５  紐
１１６  調節部材
１２１，１２２，１２３，１２４  ランチョンマット
１２１Ａ，１２１Ｂ，１２１Ｃ  雌スナップ
１２１Ｘ  カバー
１２２Ａ，１２２Ｂ，１２２Ｃ  ボタン
１２３Ａ  雌型の面ファスナー
１３０  食卓
１４０  椅子
【図１】
0005478583.tif 000002
【図２】
0005478583.tif 000003
【図３】
0005478583.tif 000004
【図４】
0005478583.tif 000005
【図５】
0005478583.tif 000006
【図６】
0005478583.tif 000007
【図７】
0005478583.tif 000008
【図８】
0005478583.tif 000009